(57)【特許請求の範囲】
【請求項１】
受信機と監視領域に設けられている感知器とを有する防災システムであり、前記受信機側と前記監視領域側とにおいて電話用通信線を介して通話可能である前記防災システムのための試験システムであって、
前記感知器は、前記防災システムの試験を行う場合に試験信号を前記受信機に対して送信し、
前記受信機は、前記感知器から前記試験信号を受信する受信手段と、前記受信手段が受信した前記試験信号に基づく情報を表示する表示手段と、を有し、
前記試験システムは、
前記受信機の前記表示手段を撮影する撮影装置と、
前記受信機及び前記電話用通信線を介して前記撮影装置と通信を行い、前記撮影装置が撮影した画像を示す画像情報を出力する中継器と、
端末装置であって、
前記中継器が出力した前記画像情報を受信する受信手段と、
当該受信手段が受信した前記画像情報が示す画像を、前記試験の結果を示す情報として表示する表示手段と、を備える前記端末装置と、
を備えており、
前記中継器が前記電話用通信線に接続されたときに、前記撮影装置と前記端末装置が通信を開始し、前記撮影装置が前記端末装置に前記画像情報を出力する、
試験システム。
【請求項２】
前記試験システムの前記撮影装置は、前記受信機の前記表示手段を静止画として所定時間毎に繰り返し撮影し、
前記試験システムの前記撮影装置は、前記試験システムの前記撮影装置によって撮影された前記静止画を示す静止画情報を、前記画像情報として順次出力する、
請求項１に記載の試験システム。
【請求項３】
前記試験システムの前記受信手段は、前記試験システムの前記撮影装置が順次出力した前記静止画情報を、前記画像情報として順次受信し、
前記試験システムの前記表示手段は、前記試験システムの前記受信手段が前記静止画情報を受信する毎に、前記静止画情報が示す画像を、前記受信機の前記表示手段の表示状態として順次表示する、
請求項２に記載の試験システム。
【請求項４】
前記電話用通信線には、前記電話用通信線が敷設される方向にわたって複数の接続手段が設けられており、
前記試験システムの前記中継器は、前記複数の接続手段に接続される、
請求項１から３の何れか一項に記載の試験システム。
【発明の詳細な説明】
【技術分野】
【０００１】
本発明は、試験システムに関する。
【背景技術】
【０００２】
従来、監視領域において火災の発生を検出した場合に火災信号を出力する感知器と、当該火災信号を受信して監視領域の状態を報知する受信機とを備える防災システムが知られている。この防災システムについては、当該防災システムが正常に動作することを確認するための動作試験が定期的に行われるが、当該動作試験では、少なくとも、例えば、火災信号を出力させる作業を感知器側で行う作業者と、動作試験の試験結果として受信機の状態を受信機側で確認する作業者とを含む複数名の作業者を要するために、当該動作試験を行うために手間を要していた。
【０００３】
そこで、動作試験を行う場合の手間を軽減するために、例えば一名の作業者によって動作試験を行うことができる防災システムが提案されている（例えば、特許文献１）。この防災システムは、火災信号を出力する感知器と、当該火災信号を受信する受信機とを備えており、この受信機は、動作試験を行う場合に、作業者が携帯している携帯端末との間で無線通信を行うことにより、受信機が受信した火災信号を当該携帯端末に対して送信する通信手段を有している。そして、この防災システムの動作試験を行う場合、作業者は、火災信号を出力するための作業を感知器側で行った後、当該感知器側において、携帯端末を用いて受信機の状態の確認を行っている。
【先行技術文献】
【特許文献】
【０００４】
【特許文献１】特開２００３-１０９１３７号公報
【発明の概要】
【発明が解決しようとする課題】
【０００５】
しかしながら、特許文献１の防災システムでは、携帯端末との間で無線通信を行うように、受信機を改造する必要があるので、防災システムにおける動作試験を行うための試験コストが増大する虞があった。更に、この防災システムでは、受信機と携帯端末との間で行われる無線通信において、例えば、他の電波と混信したり、監視領域に設けられている壁等の遮蔽物により電波が遮蔽されたりした場合、通信に障害が発生することにより、受信機から携帯端末に対して火災信号を送信することができなくなり、感知器側において受信機の状態を確認するのが困難になることがある。このような場合、感知器側から受信機側に移動して受信機の状態を確認する必要があるので、防災システムにおける動作試験を行うための手間が増大する虞があった。
【０００６】
本発明は上記問題に鑑みてなされたもので、防災システムを試験するための試験コストを低減させると共に当該防災システムの試験を行う作業効率を向上させることができる、試験システムを提供することを目的とする。
【課題を解決するための手段】
【０００７】
上述した課題を解決し、目的を達成するために、請求項１に記載の試験システムは、受信機と監視領域に設けられている感知器とを有する防災システムであり、前記受信機側と前記監視領域側とにおいて電話用通信線を介して通話可能である前記防災システムのための試験システムであって、前記感知器は、前記防災システムの試験を行う場合に試験信号を前記受信機に対して送信し、前記受信機は、前記感知器から前記試験信号を受信する受信手段と、前記受信手段が受信した前記試験信号に基づく情報を表示する表示手段と、を有し、前記試験システムは、前記受信機の前記表示手段を撮影する撮影装置と、前記受信機及び前記電話用通信線を介して前記撮影装置と通信を行い、前記撮影装置が撮影した画像を示す画像情報を出力する中継器と、端末装置であって、前記中継器が出力した前記画像情報を受信する受信手段と、当該受信手段が受信した前記画像情報が示す画像を、前記試験の結果を示す情報として表示する表示手段と、を備える前記端末装置と、を備えており、前記中継器が前記電話用通信線に接続されたときに、前記撮影装置と前記端末装置が通信を開始し、前記撮影装置が前記端末装置に前記画像情報を出力する。
【０００８】
また、請求項２に記載の試験システムは、請求項１に記載の試験システムにおいて、前記試験システムの前記撮影装置は、前記受信機の前記表示手段を静止画として所定時間毎に繰り返し撮影し、前記試験システムの前記撮影装置は、前記試験システムの前記撮影装置によって撮影された前記静止画を示す静止画情報を、前記画像情報として順次出力する。
【０００９】
また、請求項３に記載の試験システムは、請求項２に記載の試験システムにおいて、前記試験システムの前記受信手段は、前記試験システムの前記撮影装置が順次出力した前記静止画情報を、前記画像情報として順次受信し、前記試験システムの前記表示手段は、前記試験システムの前記受信手段が前記静止画情報を受信する毎に、前記静止画情報が示す画像を、前記受信機の前記表示手段の表示状態として順次表示する。
【００１１】
また、請求項４に記載の試験システムは、請求項１から３の何れか一項に記載の試験システムにおいて、前記電話用通信線には、前記電話用通信線が敷設される方向にわたって複数の接続手段が設けられており、前記試験システムの前記中継器は、前記複数の接続手段に接続される。
【発明の効果】
【００１２】
請求項１に記載の試験システムによれば、受信機を改造することなく防災システムの試験を行うことができるので、例えば、受信機の状態を出力するための当該受信機の改造が不要となり、試験コストを低減させることができる。また、電話用通信線を介して受信した画像情報に基づいて、防災システムの試験の結果を示す情報を表示することができるので、例えば、試験信号を出力する作業と試験結果を確認する作業とを、一人の作業者が監視領域側において行うことができ、防災システムの試験を行う作業効率を向上させることができる。従って、例えば、監視領域側と受信機側との間において、電波を遮蔽する遮蔽物が設けられている場合においても、当該遮蔽物が設けられている位置に対応する位置では、電話用通信線を介して画像情報の通信を行うことができるので、この場合でも画像情報を確実に受信することができ、前述のように作業効率を向上させることができる。また、例えば、監視領域側と受信機側との間においては、電話用通信線を介して画像情報の通信が行われるので、他の電波との混信を防止することができ、前述のように作業効率を向上させることができる。
【００１３】
請求項２に記載の試験システムによれば、所定時間毎に静止画情報を順次出力しているので、時間の経過に従って変化する受信機の表示手段における表示状態を確認することができ、防災システムの試験の結果を正確に把握することができる。また、データサイズが比較的小さい静止画情報を出力しているので、例えば大容量の通信線に張り替えること無く、既存の電話用通信線を用いることが可能となり、試験コストを低減させることができる。
【００１４】
請求項３に記載の試験システムによれば、静止画情報を受信する毎に静止画情報が示す画像を順次表示しているので、受信機の表示手段における直近の表示状態を確認することができ、防災システムの試験の結果を正確に把握することができる。
【００１６】
請求項４に記載の試験システムによれば、中継器を介して行われる無線通信が確実に行われるように、接続手段に中継器を接続することができるので、受信手段が画像情報を確実に受信することができ、防災システムの試験を行う作業効率を向上させることができる。
【図面の簡単な説明】
【００１７】
【図１】本発明の実施の形態に係る防災システム及び試験システムを示すブロック図である。
【図２】実施の形態に係る受信機と支持アームの斜視図である。
【図３】実施の形態に係る発報領域特定情報を示す図である。
【図４】実施の形態に係る防災システムでの試験処理のフローチャートである。
【図５】実施の形態に係る試験システムでの試験処理のフローチャートである。
【発明を実施するための形態】
【００１８】
以下に、本発明に係る試験システムの実施の形態を図面に基づいて詳細に説明する。なお、この実施の形態によりこの発明が限定されるものではない。
【００１９】
〔実施の形態の基本的概念〕
まずは、実施の形態の基本的概念について説明する。実施の形態は、概略的に、電話用通信線を介して画像情報を受信し、受信した画像情報が示す画像を、防災システムの試験の結果を示す情報として表示する試験システムに関するものである。
【００２０】
ここで、「監視領域」は、防災システムによる監視対象となっている領域であり、例えば、建築物の部屋、廊下、階段等を含む概念である。
【００２１】
また、以下の実施の形態においては、本発明をＰ型の受信機に適用した例を示すが、発報信号を出力した感知器を個別に特定することが可能なＲ型の受信機に対しても、本発明を同様に適用することができる。
【００２２】
（構成）
まず、本実施の形態に係る防災システム及び試験システムの構成について説明する。図１は、本実施の形態に係る防災システム及び試験システムを示すブロック図である。
【００２３】
（構成‐防災システム）
まず、防災システム１００は、災害を防止するためのシステムである。この防災システム１００は、感知器１ａ〜１ｃ、発信機２ａ、発信機２ｂ、電話用通信線３ａ、電話用通信線３ｂ、及び受信機４を備えており、感知器１ａ〜１ｃ、発信機２ａ、発信機２ｂ及び受信機４は、通信線５ａ及び通信線５ｂを介して相互に通信できるように接続されている。具体的には、感知器１ａ及び発信機２ａと受信機４とは、通信線５ａを介して接続されており、感知器１ｂ、感知器１ｃ及び発信機２ｂと受信機４とは、通信線５ｂを介して接続されている。
【００２４】
なお、以下では、感知器１ａ〜１ｃを区別する必要がない場合には、単に「感知器１」と総称し、発信機２ａ及び発信機２ｂを相互に区別する必要がない場合には、単に「発信機２」と総称し、通信線５ａ及び通信線５ｂを区別する必要がない場合には、単に「通信線５」と総称し、電話用通信線３ａ及び電話用通信線３ｂを区別する必要がない場合には、単に「電話用通信線３」と称することとする。
【００２５】
（構成‐防災システム‐感知器）
まず、感知器１は、監視領域における異常の発生を検出する防災検出手段である。具体的には、この感知器１は、火災やガス漏れ等の異常の発生を検出した場合に発報信号（試験信号）を、自己が接続されている通信線５を介して出力する装置であり、例えば、煙感知器、ガス感知器、又は熱感知器等であって、所定の法令に定められている設置基準を満たすように、監視領域内の天井や壁に取り付けられている。なお、本実施の形態では、感知器１ａが監視領域のうちの領域Ａに設けられており、感知器１ｂ及び感知器１ｃが監視領域のうちの領域Ｂに設けられていることとして説明する。
【００２６】
（構成‐防災システム‐発信機）
また、発信機２は、監視領域における異常を発信する発信手段である。具体的には、この発信機２は、後述する異常感知信号を、自己が接続されている通信線５を介して出力する装置であり、所定の法令に定められている設置基準を満たすように、例えば、監視領域内の壁に取り付けられている。なお、本実施の形態では、発信機２ａが感知器１ａの周辺（つまり、領域Ａ）に設けられており、発信機２ｂが感知器１ｂ及び感知器１ｃの周辺（つまり、領域Ｂ）に設けられていることとする。
【００２７】
また、発信機２ａは、発信ボタン２１ａ及びコネクタ２２ａを備え、発信機２ｂは、発信ボタン２１ｂ及びコネクタ２２ｂを備える。なお、以下では、発信ボタン２１ａ及び発信ボタン２１ｂを相互に区別する必要がない場合には、単に「発信ボタン２１」と総称し、コネクタ２２ａ及びコネクタ２２ｂを相互に区別する必要がない場合には、単に「コネクタ２２」と総称することとする。
【００２８】
（構成‐防災システム‐発信機‐発信ボタン）
発信ボタン２１は、監視領域における異常をユーザが手動で報知するためのボタンである。この発信ボタン２１が押下された場合、発信機２は、異常を感知したことを示す異常感知信号を出力する。
【００２９】
（構成‐防災システム‐発信機‐コネクタ）
コネクタ２２は、コネクタ２２に接続された機器を電話用通信線３に対して電気的に接続するための接続手段であり、電話用通信線３に対して電気的に接続されている。
【００３０】
（構成‐防災システム‐電話用通信線）
電話用通信線３は、主に電話用として用いられる通信線であり、具体的には、監視領域側と後述する受信機４側とにおいて、当該電話用通信線３を介して通話できるように、一端が受信機４に接続されており、更にこの受信機４から監視領域にわたって敷設されている。そして、この電話用通信線３には、機器を接続するための接続手段としてのコネクタ２２が、電話用通信線３が敷設される方向にわたって複数設けられている。具体的には、電話用通信線３ａにはコネクタ２２ａが設けられており、電話用通信線３ｂにはコネクタ２２ｂが設けられている。
【００３１】
（構成‐防災システム‐受信機）
また、受信機４は、各種信号を受信して、受信した信号に応じた処理を行う防災受信手段である。具体的には、この受信機４は、例えば、前述の感知器１が設けられている位置から離れている管理室に設置されており、操作部４１、表示部４２、音響部４３、記憶部４４、接続部４５、及び制御部４６を備える。
【００３２】
（構成‐防災システム‐受信機‐操作部）
図１の受信機４に設けた操作部４１は、受信機４に対する各種の操作を行うための操作手段である。図２は、本実施の形態に係る受信機と支持アームの斜視図である。この操作部４１は、具体的には、図２に示すように、切替ボタン４１１等を備えて構成されている。
【００３３】
（構成‐防災システム‐受信機‐操作部‐切替ボタン）
切替ボタン４１１は、受信機４の運転モードを、後述する通常監視モード又は試験モードの何れかに切り替えるためのボタンである。ここで、「通常監視モード」とは、監視領域での異常の発生を監視するための受信機４の運転モードであり、受信機４の運転モードがこの通常監視モードに切り替えられている場合、防災システム１００の動作試験は行われない。なお、「防災システム１００の動作試験」とは、防災システム１００が正常に動作するか否かを判定する試験である。また、「試験モード」とは、防災システム１００の動作試験を行うための受信機４の運転モードであり、防災システム１００の動作試験を行う場合、受信機４の運転モードをこの試験モードに切り替える必要がある。
【００３４】
そして、受信機４の運転モードを試験モードに切り替えた状態で防災システム１００の動作試験を行う場合、受信機４の状態は、後述するように、試験モードにおける初期状態又は当該試験モードにおける発報検出状態に適宜切り替わることになる。ここで、「初期状態」とは、後述する試験処理における受信機４の初めの状態と同様な状態であり、具体的には、感知器１から出力される発報信号を待ち受けるための受信機４の第１モードとしての状態である。また、「発報検出状態」とは、受信機４が発報信号を受信した場合の受信機４の状態であり、具体的には、受信した発報信号に関する情報を報知するための受信機４の第２モードとしての状態である。
【００３５】
（構成‐防災システム‐受信機‐表示部）
図１の受信機４に設けた表示部４２は、防災に関する各種情報を表示するための表示手段であり、具体的には、各種情報を表示する表示灯又はディスプレイ等を備えて構成されている。更に具体的には、この表示部４２は、図２に示すように、表示灯４２１ａ及び表示灯４２１ｂを含む複数の表示灯４２１を備えて構成されている。
【００３６】
（構成‐防災システム‐受信機‐音響部）
図１の受信機４に設けた音響部４３は、防災に関する各種警報音を出力するための音響手段であり、具体的には、図２に示すように、各種警報音を出力するスピーカ４３１等を備えて構成されている。
【００３７】
（構成‐防災システム‐受信機‐記憶部）
図１の受信機４に設けた記憶部４４は、受信機４の動作に必要なプログラム及び各種デ−タが記憶されている記憶手段であり、具体的には、発報領域特定情報が記憶されている。
【００３８】
（構成‐防災システム‐受信機‐記憶部‐発報領域特定情報）
ここで、図３は、実施の形態に係る発報領域特定情報を示す図である。発報領域特定情報は、発報信号を出力した感知器が設けられている領域を特定し、特定した領域で発報したことを報知するための情報であり、具体的には、項目「回線」、「感知器」、「監視領域」、「表示灯」、「警報音声」と、各項目に対応する情報が相互に関連付けられて記憶されている。
【００３９】
項目「回線」に対応して記憶される情報は、受信機４に接続されている通信線を特定する情報である（図３の場合、「通信線５ａ」、「通信線５ｂ」）。
【００４０】
また、項目「感知器」に対応して記憶される情報は、各通信線に接続されている感知器を特定する情報である（図３の場合、「感知器１ａ」、「感知器１ｂ、感知器１ｃ」）。
【００４１】
また、項目「監視領域」に対応して記憶される情報は、項目「感知器」で特定されている感知器が設けられている監視領域を示す情報である（図３の場合、「領域Ａ」、「領域Ｂ」）。
【００４２】
また、項目「表示灯」に対応して記憶される情報は、図２に示す表示灯４２１の内の、項目「監視領域」で特定されている監視領域に対応する表示灯を示す情報である（図３の場合、「表示灯４２１ａ」、「表示灯４２１ｂ」）。なお、本実施の形態では、図２に示す表示灯４２１ａは、図１の領域Ａに対応する表示灯であり、図２に示す表示灯４２１ｂは、図１の領域Ｂに対応する表示灯であることとする。
【００４３】
また、項目「警報音声」に対応して記憶される情報は、項目「監視領域」で特定されている監視領域に対応する警報音声を示す情報である（図３の場合、「音声Ｄｓａ」、「音声Ｄｓｂ」）。なお、本実施の形態では、「音声Ｄｓａ」に対応する警報音声は、領域Ａに設けられている感知器１ａが発報信号を出力した旨を報知するための警報音声であり、「音声Ｄｓｂ」に対応する警報音声は、領域Ｂに設けられている感知器１ｂ又は感知器１ｃが発報信号を出力した旨を報知するための警報音声であることとする。
【００４４】
（構成‐防災システム‐受信機‐接続部）
図１の接続部４５は、機器を電話用通信線３に対して電気的に接続するための接続手段であり、具体的には、受信機４の内部において電話用通信線３に対して電気的に接続されているコネクタである。この接続部４５は、図２に示すように、受信機４の正面に設けられており、開閉可能な所定のカバー（不図示）に覆われている。
【００４５】
そして、図１に戻って、この接続部４５に一方の電話機（不図示）を接続し、前述の発信機２のコネクタ２２に他方の電話機（不図示）を接続した場合、当該一方の電話機及び他方の電話機は、電話用通信線３を介して通信可能に接続されて、これらの電話機を用いて受信機４側と監視領域側とにおいて通話を行うことが可能になる。
【００４６】
（構成‐防災システム‐受信機‐制御部）
図１の受信機４に設けた制御部４６は、受信機４に関する各種の制御を行う制御手段であり、具体的には、ＣＰＵ、当該ＣＰＵ上で解釈実行される各種のプログラム（ＯＳなどの基本制御プログラムや、ＯＳ上で起動され特定機能を実現するアプリケ−ションプログラムを含む）、及びプログラムや各種のデ−タを格納するためのＲＡＭの如き内部メモリを備えて構成されるコンピュ−タである。特に、実施の形態に係る火災検出プログラムは、任意の記録媒体又はネットワ−クを介して制御部４６にインスト−ルされることで、制御部４６の各部を実質的に構成する（後述する撮影装置６の制御部６４、及び端末装置８の制御部８６も同様とする）。
【００４７】
この制御部４６は、機能概念的に、監視部４６１及び試験部４６２を有する。
【００４８】
（構成‐防災システム‐受信機‐制御部‐監視部）
監視部４６１は、受信機４の運転モードが通常監視モードに切り替えられている場合に、監視領域での異常の発生を監視するための処理を行う監視手段である。なお、監視部４６１によって行われる監視領域での異常の発生を監視するための処理としては、公知の処理を用いることができる。
【００４９】
（構成‐防災システム‐受信機‐制御部‐試験部）
試験部４６２は、受信機４の運転モードが試験モードに切り替えられている場合に、防災システム１００の動作試験のための処理を行う試験手段である。なお、試験部４６２の詳細については、後述する。
【００５０】
（構成‐試験システム）
次に、試験システム６００は、防災システム１００の動作試験を行うためのシステムであり、撮影装置６、無線中継器７、及び端末装置８を備える。
【００５１】
（構成‐試験システム‐撮影装置）
撮影装置６は、受信機４の状態を撮影するための撮影手段であり、受信機４の表示部４２を撮影できるように管理室に設けられており、具体的には、図２に示すように支持アーム９１を用いて設置され、前述の電話機の代わりに、受信機４の接続部４５に通信線９２を介して接続されて用いられる。
【００５２】
ここで、支持アーム９１は、撮影装置６を支持する支持手段であり、具体的には、撮影装置６が受信機４の表示部４２を撮影できるよう当該撮影装置６を設置するためのアームであり、例えば、受信機４の正面上部における隅に着脱自在に取り付けられるアームである。なお、支持アーム９１の受信機４への取り付け手法については、任意であり、例えば、受信機４が金属製である場合には、支持アーム９１における受信機４側の端部に磁性体を設けて、当該磁性体の磁力を利用して取り付けられることとしてもよいし、受信機４が金属製であるか否かに関わらず、受信機４及び支持アーム９１における受信機４側の端部に、互いに係合する係合部を設けて、当該係合部を利用して取り付けられることとしてもよい。
【００５３】
そして、図１に戻って、撮影装置６は、撮影部６１、通信部６２、記憶部６３及び制御部６４を備える。
【００５４】
（構成‐試験システム‐撮影装置‐撮影部）
撮影部６１は、受信機４の表示部４２を静止画として撮影するための撮影手段であり、具体的には、カメラレンズ等を備えて構成されている。
【００５５】
（構成‐試験システム‐撮影装置‐通信部）
図１の撮影装置６に設けた通信部６２は、後述する無線中継器７との間で電話用通信線３を介して通信するための通信手段であり、特に、後述する画像信号を出力するための出力手段である。そして、この通信部６２は、具体的には、通信インターフェース回路等を備えて構成されている。
【００５６】
（構成‐試験システム‐撮影装置‐記憶部）
図１の撮影装置６に設けた記憶部６３は、撮影装置６の動作に必要なプログラム及び各種デ−タが記憶されている記憶手段である。
【００５７】
（構成‐試験システム‐撮影装置‐制御部）
図１の撮影装置６に設けた制御部６４は、撮影装置６に関する各種の制御を行う制御手段であり、具体的には、撮影制御部６４１、及び画像処理部６４２を有する。
【００５８】
（構成‐試験システム‐撮影装置‐制御部‐撮影制御部）
撮影制御部６４１は、撮影部６１を制御する制御手段であり、具体的には、撮影部６１が所定時間毎に繰り返し撮影を行うように制御する。ここで、「所定時間」とは、撮影間隔を定める時間であり、例えば、電話用通信線３の伝送路容量との関係に基づいて設定されており、後述する所定の維持時間よりも十分に短い時間（例えば、５秒等）に設定されている。
【００５９】
（構成‐試験システム‐撮影装置‐制御部‐画像処理部）
画像処理部６４２は、撮影部６１が撮影した画像の処理を行う画像処理手段であり、具体的には、撮影部６１の撮影結果に基づいて静止画情報を生成する。ここで、「静止画情報」とは、撮影部６１が撮影した静止画像を示す画像情報である。
【００６０】
（構成‐試験システム‐無線中継器）
無線中継器７は、撮影装置６と後述する端末装置８との間の通信を中継する無線中継手段であり、具体的には、前述の電話機の代わりに、発信機２のコネクタ２２に接続される例えば無線ルータである。
【００６１】
（構成‐試験システム‐端末装置）
端末装置８は、防災システム１００の動作試験を行うための試験端末である。具体的には、端末装置８は、防災システム１００の動作試験を行う作業者によって携帯される携帯端末であり、例えば、携帯電話機又はパーソナルコンピュータ等を含む汎用的に用いられる装置、又は、受信機４のための専用装置等によって構成されており、通信部８１、操作部８２、表示部８３、音響部８４、記憶部８５、及び制御部８６を備える。
【００６２】
（構成‐試験システム‐端末装置‐通信部）
図１の端末装置８に設けた通信部８１は、無線中継器７との間で無線通信を行うための通信手段であり、特に、後述する画像信号を、電話用通信線３及び無線中継器７を介して受信する受信手段である。そして、この通信部８１は、具体的には、無線通信を行うためのアンテナ等を備えて構成されている。
【００６３】
（構成‐試験システム‐端末装置‐操作部）
図１の端末装置８に設けた操作部８２は、端末装置８に対する各種の操作を行うための操作手段であり、具体的には、操作ボタン又はタッチパネル等を備えて構成されている。
【００６４】
（構成‐試験システム‐端末装置‐表示部）
図１の端末装置８に設けた表示部８３は、防災システム１００の動作試験に関する各種情報を表示するための表示手段であり、具体的には、各種情報を表示するディスプレイ等を備えて構成されている。
【００６５】
（構成‐試験システム‐端末装置‐音響部）
図１の端末装置８に設けた音響部８４は、防災システム１００の動作試験に関する各種試験音を出力するための音響手段であり、各種試験音を出力するスピーカ等を備えて構成されている。
【００６６】
（構成‐試験システム‐端末装置‐記憶部）
図１の端末装置８に設けた記憶部８５は、端末装置８の動作に必要なプログラム及び各種デ−タが記憶されている記憶手段である。
【００６７】
（構成‐試験システム‐端末装置‐制御部）
図１の端末装置８に設けた制御部８６は、端末装置８に関する各種の制御を行う制御手段であり、具体的には、情報取得部８６１を有する。
【００６８】
（構成‐試験システム‐端末装置‐情報取得部）
情報取得部８６１は、後述する画像信号から静止画情報を取得する情報取得手段である。なお、情報取得部８６１の詳細については、後述する。
【００６９】
（処理）
次に、このように構成された防災システム１００及び試験システム６００によって行われる試験処理について説明する。なお、「試験処理」とは、防災システム１００の動作試験を行うための処理である。ここでは、防災システム１００での処理、及び試験システム６００での処理について説明した後、システム全体での処理について説明する。
【００７０】
（処理‐防災システムでの試験処理）
まず、防災システム１００での試験処理について説明した後、この試験処理の具体例について説明する。
【００７１】
図４は、実施の形態に係る防災システムでの試験処理のフローチャートである（以下の各処理の説明ではステップを「Ｓ」と略記する）。この図４を用いて、図１及び図２等を適宜参照しつつ以下説明する。試験処理は、防災システム１００の電源スイッチをオンした後に、受信機４の運転モードが切替ボタン４１１を介して試験モードに切り替えられた場合に、起動する。
【００７２】
まず、ＳＡ１において感知器１は、監視領域を監視する監視状態になっており、一方、ＳＢ１において受信機４の試験部４６２は、受信機４の状態を初期状態にする。
【００７３】
次に、ＳＡ２において感知器１は、発報信号を出力する。ここで、「発報信号」とは、火災やガス漏れ等の異常を検出したことを示す信号であり、前述したように、感知器１が出力する信号である。この発報信号については、試験処理では、例えば、感知器１の周辺で火災を模擬した環境を作るための試験用治具（不図示）を用いて模擬火災を発生させた場合に、感知器１が出力することとする。そして、この出力された発報信号は、通信線５を介して受信機４に送信される。
【００７４】
一方、ＳＢ２において受信機４の試験部４６２は、受信機４が発報信号を受信したか否かを監視する。具体的には、通信線５を介して発報信号を受信したか否かを監視する。そして、発報信号を受信した場合（ＳＢ２のＹＥＳ）、ＳＢ３に移行する。また、発報信号を受信しなかった場合（ＳＢ２のＮＯ）、再度、ＳＢ２の処理を行う。
【００７５】
次に、ＳＢ３において受信機４の試験部４６２は、受信機４の状態を初期状態から発報検出状態に切り替えて、受信した発報信号に関する情報を報知する。具体的には、記憶部４４に記憶されている発報領域特定情報等に基づいて、ＳＢ２で受信した発報信号に対応する情報を特定し、特定結果に基づいて、表示部４２及び音響部４３を制御する。なお、ＳＢ３での処理の詳細については、後述の具体例において説明する。
【００７６】
次に、ＳＢ４において受信機４の試験部４６２は、後述する所定の維持時間を経過したか否かを判定する。具体的には、ＳＢ３の処理を開始した時からの経過時間が所定の維持時間を経過したか否かを判定する。そして、所定の維持時間を経過したと判定した場合（ＳＢ４のＹＥＳ）、ＳＢ５に移行する。また、所定の維持時間を経過していないと判定した場合（ＳＢ４のＮＯ）、発報検出状態を維持したまま、再度、ＳＢ４の処理を行う。
【００７７】
ここで、「所定の維持時間」とは、ＳＢ３での受信機４の状態を維持する時間であり、例えば、後述するように、図１の端末装置８を用いて、作業者が受信機４の状態を確実に確認することができる程度に比較的長い時間（例えば、１分等）に設定されている。
【００７８】
図４に戻って、次に、ＳＢ５において受信機４の試験部４６２は、復旧処理を行った後、ＳＢ１に移行する。ここで、「復旧処理」とは、受信機４及び感知器１を復旧する処理であり、具体的には後述する。
【００７９】
一方、ＳＡ３において感知器１は、復旧処理が行われたか否かを監視する。具体的には、前述のＳＢ５での受信機４による復旧処理が行われたか否かを監視する。そして、復旧処理が行われた場合（ＳＡ３のＹＥＳ）、感知器１は、ＳＡ１に移行する。一方、復旧処理が行われていない場合（ＳＡ３のＮＯ）、感知器１は、再度、ＳＡ３の処理を行う。
【００８０】
（処理‐防災システムでの試験処理‐具体例）
感知器１ａ〜１ｃ各々が発報信号を出力する場合の、防災システム１００での試験処理は互いに同様であるので、以下では、感知器１ａが発報信号を出力する場合の試験処理の具体例について説明する。
【００８１】
図１の感知器１ａの周辺で模擬火災を発生させることにより、図４のＳＡ２において感知器１ａは、発報信号を出力する。次に、ＳＢ２において受信機４が当該発報信号を受信した後、ＳＢ３において受信機４の試験部４６２は、ＳＢ２で受信した発報信号が伝送された通信線を特定し、特定した通信線が図３の発報領域特定情報で対応付けられている表示灯、及び警報音声を特定した上で、特定した表示灯を点灯し、更に、特定した警報音声を出力するように制御する。
【００８２】
図４に戻って、ＳＢ３において具体的には、受信機４の試験部４６２は、ＳＢ２で受信した発報信号が伝送された通信線として通信線５ａを特定し、図３の発報領域特定情報において「通信線５ａ」に対応する「表示灯４２１ａ」を通信線５ａに接続されている感知器が設けられている領域に対応する表示灯として特定し、更に、「音声Ｄｓａ」を当該領域に対応する警報音声として特定する。次に、受信機４の試験部４６２は、前述の特定した表示灯である図２の表示灯４２１ａを点灯させると共に、前述の特定した音声である音声Ｄｓａに対応する警報音声を図２のスピーカ４３１から出力する。
【００８３】
図４に戻って、次に、ＳＢ４において所定の維持時間を経過したと判定した場合、ＳＢ５において受信機４の試験部４６２は、図２のスピーカ４３１から出力されている警報音声を停止し、且つ、表示灯４２１を全て消灯することにより受信機４を復旧する処理を行い、更に、発報信号を出力している感知器１ａに対して復旧信号を送信することにより当該感知器１ａを復旧させる処理を行った後、ＳＢ１に移行する。
【００８４】
図４に戻って、次に、ＳＡ３において感知器１ａは、前述のＳＢ５での受信機４による復旧処理によって、復旧した後、ＳＡ１に移行する。
【００８５】
（処理‐試験システムでの試験処理）
次に、試験システム６００での試験処理について説明する。
【００８６】
図５は、実施の形態に係る試験システムでの試験処理のフローチャートである。この図５を用いて、図１及び図２等を適宜参照しつつ以下説明する。試験処理は、試験システム６００の電源スイッチをオンした場合に、起動する。
【００８７】
まず、ＳＣ１において撮影装置６の撮影制御部６４１は、受信機４の表示部４２を静止画として撮影するように、撮影部６１を制御する。
【００８８】
次に、ＳＣ２において撮影装置６の画像処理部６４２は、撮影部６１の撮影結果に基づいて静止画情報を生成する。
【００８９】
次に、ＳＣ３において撮影装置６の制御部６４は、ＳＣ２で生成した静止画情報に基づいて画像信号を生成し、生成した画像信号を出力するように、通信部６２を制御する。ここで、「画像信号」とは、画像処理部６４２が生成した静止画情報を示す信号である。ＳＣ３の制御により通信部６２は、撮影装置６が接続されている受信機４の接続部４５及び電話用通信線３を介して、画像信号を出力する。
【００９０】
次に、ＳＣ４において撮影装置６の制御部６４は、所定時間を経過したか否かを判定する。具体的には、ＳＣ１の処理を開始した時からの経過時間が所定時間を経過したか否かを判定する。そして、所定時間を経過したと判定した場合（ＳＣ４のＹＥＳ）、ＳＣ１に移行する。また、所定時間を経過していないと判定した場合（ＳＣ４のＮＯ）、再度、ＳＣ４の処理を行う。つまり、撮影装置６については、ＳＣ４において所定時間が経過する毎に、ＳＣ１〜ＳＣ３の処理を繰り返し行うことになる。
【００９１】
一方、ＳＤ１において端末装置８の制御部８６は、通信部８１が画像信号を受信したか否かを監視する（ＳＤ１）。具体的には、無線中継器７との間における無線通信を介して画像信号を受信したか否かを監視する。そして、画像信号を受信した場合（ＳＤ１のＹＥＳ）、ＳＤ２に移行する。また、画像信号を受信しなかった場合（ＳＤ１のＮＯ）、再度、ＳＤ１の処理を行う。
【００９２】
次に、ＳＤ２において端末装置８の情報取得部８６１は、ＳＤ１で受信した画像信号から静止画情報を取得する。
【００９３】
次に、ＳＤ３において端末装置８の制御部８６は、ＳＤ２で取得した静止画情報に対応する画像を、表示部８３に表示した後、ＳＤ１に移行する。つまり、端末装置８については、ＳＤ１で画像信号を受信する毎に、ＳＤ２及びＳＤ３の処理を繰り返し行うことになる。
【００９４】
（防災システムの動作試験の試験例）
次に、図１の端末装置８を携帯している作業者によって行われる、防災システム１００の動作試験の試験例について、図１及び図２を用いて説明する。ここでは、当該作業者が感知器１ａ〜１ｃを順次発報させる場合の、試験例について説明する。
【００９５】
まず、図１に示す受信機４の運転モードを試験モードに切り替えた上で、図２に示すように、支持アーム９１を用いて撮影装置６を設置し、更に、通信線９２を介して撮影装置６を受信機４の接続部４５に接続する。そして、図１の感知器１ａを発報させる場合、端末装置８と無線中継器７との間で良好な無線通信が行われるように、無線中継器７を、感知器１ａの周辺（つまり、領域Ａ）に設けられている発信機２ａのコネクタ２２ａに接続する。この場合、撮影装置６と端末装置８との間の通信が開始し、撮影装置６から出力された画像信号が、接続部４５、電話用通信線３ａ、コネクタ２２ａ、及び無線中継器７を介して、端末装置８に送信される。そして、端末装置８の表示部８３には、受信機４の表示部４２（具体的には、図２の表示灯４２１等）を示す画像が表示される。なお、前述したように、所定時間毎に撮影装置６が撮影を行うために、端末装置８の表示部８３には、所定時間毎における受信機４の表示部４２を示す画像が表示されることになる。
【００９６】
具体的には、感知器１ａ〜１ｃを発報させる前においては、端末装置８の表示部８３には、図２の表示灯４２１全てが消灯している状態の受信機４の表示部４２の画像が表示される。
【００９７】
次に、図１の感知器１ａを発報させた場合、前述したように、図２の表示灯４２１ａが点灯するので、端末装置８の表示部８３には、表示灯４２１ａが点灯している状態の受信機４の表示部４２の画像が表示される。次に所定の維持時間が経過した場合、受信機４が復旧して、表示灯４２１ａが消灯するので、端末装置８の表示部８３には、表示灯４２１全てが消灯した状態の受信機４の表示部４２の画像が再度表示される。
【００９８】
次に、図１の感知器１ｂを発報させる場合、端末装置８と無線中継器７との間で良好な無線通信が行われるように、無線中継器７を、感知器１ｂの周辺（つまり、領域Ｂ）に設けられている発信機２ｂのコネクタ２２ｂに接続しなおした上で、感知器１ｂを発報させる。この場合、端末装置８の表示部８３には、図２の表示灯４２１ｂが点灯した状態の受信機４の表示部４２の画像が表示された後、表示灯４２１全てが消灯した状態の受信機４の表示部４２の画像が再度表示される。
【００９９】
次に、図１の感知器１ｃを発報させる場合、無線中継器７が感知器１ｃの周辺（つまり、領域Ｂ）に設けられている発信機２ｂのコネクタ２２ｂに既に接続されているので、この接続状態を維持する。そして、感知器１ｃを発報させた場合、端末装置８の表示部８３には、感知器１ｂを発報させた場合と同様にして所定の画像が表示される。
【０１００】
最後に、防災システム１００の動作試験を終了する場合、図２の支持アーム９１、撮影装置６及び図１の無線中継器７を取り外した後、受信機４の運転モードを通常監視モードに切り替えることにより、動作試験を終了する。
【０１０１】
以上のように、端末装置８の表示部８３に表示される画像により、受信機４の表示部４２の表示状態を確認することができるので、各感知器１を発報させる場合の動作試験の試験結果を逐一把握することが可能になる。
【０１０２】
（実施の形態の効果）
このように本実施の形態によれば、受信機４を改造することなく防災システム１００の動作試験を行うことができるので、例えば、受信機４の状態を出力するための当該受信機４の改造が不要となり、当該動作試験の試験コストを低減させることができる。また、電話用通信線３を介して受信した画像信号が示す静止画情報に基づいて、試験結果を示す画像を表示することができるので、例えば、発報信号を出力する作業と試験結果を確認する作業とを、一人の作業者が監視領域側において行うことができ、防災システム１００の動作試験の作業効率を向上させることができる。従って、例えば、監視領域側と受信機４側との間において、電波を遮蔽する遮蔽物が設けられている場合においても、当該遮蔽物が設けられている位置に対応する位置では、電話用通信線３を介して通信を行うことができるので、この場合でも画像信号を確実に受信することができ、前述のように動作試験の作業効率を向上させることができる。また、例えば、監視領域側と受信機４側との間においては、電話用通信線３を介して画像信号の通信が行われるので、他の電波との混信を防止することができ、前述のように動作試験の作業効率を向上させることができる。
【０１０３】
また、撮影装置６が所定時間毎に静止画情報を順次出力しているので、時間の経過に従って変化する受信機４の表示部４２における表示状態を確認することができ、試験結果を正確に把握することができる。また、データサイズが比較的小さい静止画情報を出力しているので、例えば大容量の通信線に張り替えること無く、既存の電話用通信線３を用いることが可能となり、試験コストを低減させることができる。
【０１０４】
また、端末装置８が画像信号を受信する毎に当該画像信号が示す静止画情報に対応する画像を順次表示しているので、受信機４の表示部４２における直近の表示状態を確認することができ、試験結果を正確に把握することができる。
【０１０５】
また、端末装置８の通信部８１が無線中継器７との間で無線通信を行うので、端末装置８の携帯性を向上させることができ、防災システム１００の動作試験の作業効率を向上させることができる。
【０１０６】
また、無線中継器７と端末装置８との間の無線通信が確実に行われるように、コネクタ２２に無線中継器７を接続することができるので、端末装置８が画像信号を確実に受信することができ、防災システム１００の動作試験の作業効率を向上させることができる。
【０１０７】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【０１０８】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏したりすることがある。
【０１０９】
（分散や統合について）
また、上述した構成は機能概念的なものであり、必ずしも物理的に図示の如く構成されていることを要しない。すなわち、各部の分散や統合の具体的形態は図示のものに限られず、その全部または一部を、任意の単位で機能的または物理的に分散又は統合して構成できる。
【０１１０】
（撮影装置について）
また、上記実施の形態では、図１の撮影装置６が静止画として撮影する場合について説明したが、これに限られるものではない。例えば、撮影装置６が動画として撮影し、撮影結果に基づいて動画情報を出力することとしてもよい。この場合、端末装置８は、当該動画情報を受信することにより、受信機４の表示部４２を示す動画を表示する。
【０１１１】
また、上記実施の形態において、図５のＳＣ１〜ＳＣ４の処理が複数回にわたって行われる場合、ＳＣ１においては所定時間毎に撮影し、ＳＣ２においてはＳＣ１で撮影する毎に静止画情報を順次生成し、ＳＣ３においてはＳＣ２で静止画情報を生成する毎に画像信号の生成及び出力を行うことになる。この場合、ＳＣ３においては、複数の静止画情報を図１の撮影装置６における記憶部６３に記憶しておき、記憶されている複数の静止画情報を示す一の画像信号の生成及び出力を行うこととしてもよい。
【０１１２】
（端末装置について）
また、上記実施の形態において、図５のＳＤ１〜ＳＤ３の処理が複数回にわたって行われる場合、ＳＤ１においては画像信号を順次受信し、ＳＤ２においてはＳＤ１で画像信号を受信する毎に静止画情報を順次取得し、ＳＤ３においてはＳＤ２で静止画情報を取得する毎に画像を順次表示することになる。この場合、ＳＤ３においては、直近に取得した一の静止画情報に対応する一の画像が表示されるように、端末装置８の表示部８３における表示を更新することとしてもよいし、直近に取得した複数の静止画情報に対応する複数の画像が表示されように更新することとしてもよい。また、ＳＤ１で受信した画像信号を間引いて、間引かれた画像信号に対応する画像を表示することとしてもよい。
【０１１３】
また、上記実施の形態において、図５のＳＤ２で取得した静止画情報を、図１の端末装置８における記憶部８３に記憶することとしてもよい。この場合、例えば撮影時間等の所定の情報を対応付けて記憶することとしてもよい。
【０１１４】
（集音装置ついて）
また、上記実施の形態において、図１の受信機４の警報音声を取得する集音装置が管理室に設けられていることとしてもよい。この場合、集音装置は、受信機４の警報音声を取得し、取得した警報音声を示す音声情報を端末装置８に対して送信し、端末装置８は、集音装置から受信した音声情報に対応する警報音声を出力することとする。なお、集音装置は、撮影装置６と同様にして、音声情報を端末装置８に対して送信することとする。また、集音装置は、撮影装置６と共に設けられていることとしてもよいし、撮影装置６の代わりに設けられていることとしてもよい。
【０１１５】
（受信機について）
また、上記実施の形態では、図１の受信機４が発報信号を受信した場合に、所定の表示灯を点灯させることにより報知する場合について説明したが、これに限定されるものではない。例えば、発報信号を受信した場合に、所定の表示灯を点滅させたり、明滅させたりすることとしてもよい。つまり、初期状態と発報検出状態とにおいて、受信機４の表示部４２の表示が異なっていることとすればよい。
【０１１６】
また、上記実施の形態では、図１の受信機４が図４のＳＢ４において所定の維持時間が経過した場合に自動的に復旧する場合について説明したが、これに限定されるものではない。例えば、自動的に復旧するのではなく、図１の受信機４における操作部４１を介して行われる手動操作により復旧することとしてもよい。
【０１１７】
（電話用通信線について）
また、上記実施の形態では、図１の電話用通信線３の一端が受信機４に接続されている場合について説明したが、これに限られるものではない。例えば、電話用通信線３が受信機４に接続されておらず、コネクタ２２と同様なコネクタが電話用通信線３における管理室側の所定位置に設けられていることとしてもよい。この場合、撮影装置６は、当該コネクタを介して通信を行うこととする。
【０１１８】
（受信機と端末装置との通信について）
上記実施の形態では、図１の受信機４と端末装置８とが、無線中継器７を介して通信する場合について説明したが、これに限定されるものではない。例えば、コネクタ２２に対して端末装置８を有線接続し、前述の無線中継器７を介さずに受信機４と端末装置８とが通信することとしてもよい。この場合、受信機４と端末装置８との間において無線通信が行われずに有線にて通信が行われているので、電波の遮蔽物の有無、又は混信する可能性がある他の電波の有無に関わらず、受信機４と端末装置８との間の通信を確実に行うことができ、防災システム１００の動作試験の作業効率を確実に向上させることができる。
【０１１９】
（コネクタの個数について）
また、上記実施の形態では、図１の電話用通信線３ａに一つのコネクタ２２ａが設けられており、電話用通信線３ｂに一つのコネクタ２２ｂが設けられている場合について説明したが、これに限定されるものではない。例えば、防災システム１００が大規模になった場合、各領域に対して発信機２が複数設けられ、電話用通信線３ａ及び電話用通信線３ｂ各々に対してコネクタ２２が複数設けられることとしてもよい。
【０１２０】
（撮影装置の設置について）
また、上記実施の形態では、図２の支持アーム９１を用いて撮影装置６を設置する場合について説明したが、これに限定されるものではない。例えば、支持アーム９１とは異なる三脚等の装置を用いて、撮影装置６を設置することとしてもよい。
【０１２１】
（付記）
付記１の試験システムは、受信機と監視領域に設けられている感知器とを有する防災システムであり、前記受信機側と前記監視領域側とにおいて電話用通信線を介して通話可能である前記防災システムのための試験システムであって、前記感知器は、前記防災システムの試験を行う場合に試験信号を前記受信機に対して送信し、前記受信機は、前記感知器から前記試験信号を受信する受信手段と、前記受信手段が受信した前記試験信号に基づく情報を表示する表示手段と、を有し、前記試験システムは、前記受信機の前記表示手段を撮影する撮影手段と、前記撮影手段が撮影した画像を示す画像情報を、前記電話用通信線を介して出力する出力手段と、前記出力手段が出力した前記画像情報を、前記電話用通信線を介して受信する受信手段と、当該受信手段が受信した前記画像情報が示す画像を、前記試験の結果を示す情報として表示する表示手段と、を備える。
【０１２２】
また、付記２の試験システムは、付記１に記載の試験システムにおいて、前記試験システムの前記撮影手段は、前記受信機の前記表示手段を静止画として所定時間毎に繰り返し撮影し、前記試験システムの前記出力手段は、前記試験システムの前記撮影手段によって撮影された前記静止画を示す静止画情報を、前記画像情報として順次出力する。
【０１２３】
また、付記３の試験システムは、付記２に記載の試験システムにおいて、前記試験システムの前記受信手段は、前記試験システムの前記出力手段が順次出力した前記静止画情報を、前記画像情報として順次受信し、前記試験システムの前記表示手段は、前記試験システムの前記受信手段が前記静止画情報を受信する毎に、前記静止画情報が示す画像を、前記受信機の前記表示手段の表示状態として順次表示する。
【０１２４】
また、付記４の試験システムは、付記１から３いずれか一項に記載の試験システムにおいて、前記試験システムは、前記試験システムの前記出力手段と前記試験システムの前記受信手段との間で前記画像情報を中継するべく前記電話用通信線に接続される無線中継手段、を更に備える。
【０１２５】
また、付記５の試験システムは、付記４に記載の試験システムにおいて、前記電話用通信線には、前記電話用通信線が敷設される方向にわたって複数の接続手段が設けられており、前記試験システムの前記無線中継手段は、前記複数の接続手段に接続される。
【０１２６】
（付記の効果）
付記１に記載の試験システムによれば、受信機を改造することなく防災システムの試験を行うことができるので、例えば、受信機の状態を出力するための当該受信機の改造が不要となり、試験コストを低減させることができる。また、電話用通信線を介して受信した画像情報に基づいて、防災システムの試験の結果を示す情報を表示することができるので、例えば、試験信号を出力する作業と試験結果を確認する作業とを、一人の作業者が監視領域側において行うことができ、防災システムの試験を行う作業効率を向上させることができる。従って、例えば、監視領域側と受信機側との間において、電波を遮蔽する遮蔽物が設けられている場合においても、当該遮蔽物が設けられている位置に対応する位置では、電話用通信線を介して画像情報の通信を行うことができるので、この場合でも画像情報を確実に受信することができ、前述のように作業効率を向上させることができる。また、例えば、監視領域側と受信機側との間においては、電話用通信線を介して画像情報の通信が行われるので、他の電波との混信を防止することができ、前述のように作業効率を向上させることができる。
【０１２７】
付記２に記載の試験システムによれば、所定時間毎に静止画情報を順次出力しているので、時間の経過に従って変化する受信機の表示手段における表示状態を確認することができ、防災システムの試験の結果を正確に把握することができる。また、データサイズが比較的小さい静止画情報を出力しているので、例えば大容量の通信線に張り替えること無く、既存の電話用通信線を用いることが可能となり、試験コストを低減させることができる。
【０１２８】
付記３に記載の試験システムによれば、静止画情報を受信する毎に静止画情報が示す画像を順次表示しているので、受信機の表示手段における直近の表示状態を確認することができ、防災システムの試験の結果を正確に把握することができる。
【０１２９】
付記４に記載の試験システムによれば、試験システムにおける出力手段と受信手段との間で情報を中継する無線中継手段が設けられているので、例えば受信手段と表示手段とを有する装置の携帯性を向上させることができ、防災システムの試験を行う作業効率を向上させることができる。
【０１３０】
付記５に記載の試験システムによれば、無線中継手段を介して行われる無線通信が確実に行われるように、接続手段に無線中継手段を接続することができるので、受信手段が画像情報を確実に受信することができ、防災システムの試験を行う作業効率を向上させることができる。
【符号の説明】
【０１３１】
１、１ａ、１ｂ、１ｃ  感知器
２、２ａ、２ｂ  発信機
３、３ａ、３ｂ  電話用通信線
４  受信機
５、５ａ、５ｂ、９２  通信線
６  撮影装置
７  無線中継器
８  端末装置
２１、２１ａ、２１ｂ  発信ボタン
２２、２２ａ、２２ｂ  コネクタ
４１、８２  操作部
４２、８３  表示部
４３、８４  音響部
４４、６３、８５  記憶部
４５  接続部
４６、６４、８６  制御部
６１  撮影部
６２、８１  通信部
９１  支持アーム
１００  防災システム
４１１  切替ボタン
４２１、４２１ａ、４２１ｂ  表示灯
４３１  スピーカ
４６１  監視部
４６２  試験部
６００  試験システム
６４１  撮影制御部
６４２  画像処理部
８６１  情報取得部
【図１】
0006529762.tif 000002
【図２】
0006529762.tif 000003
【図３】
0006529762.tif 000004
【図４】
0006529762.tif 000005
【図５】
0006529762.tif 000006